(57)【要約】【課題】装着時のユーザの自然な動作により心電図を用いたユーザ認証を行うことができるようにする。【解決手段】測定部は、ユーザが装着動作時に接触する位置に配置され、ユーザの心電図を測定する。検出部は、ユーザの装着動作状態を検出する。認証部は、検出部により装着動作状態が検出された場合、測定部により測定された心電図に基づいて、ユーザ認証を行う。本開示は、例えば、心電図を用いてユーザ認証を行うウェアラブル機器等に適用することができる。【選択図】図２
2017228132.tif 000002
【特許請求の範囲】
【請求項１】
ユーザが装着動作時に接触する位置に配置され、前記ユーザの心電図を測定する測定部と、
前記ユーザの装着動作状態を検出する検出部と、
前記検出部により前記装着動作状態が検出された場合、前記測定部により測定された前記心電図に基づいて、ユーザ認証を行う認証部と
を備える情報処理装置。
【請求項２】
前記認証部による認証結果を管理する認証管理部
をさらに備え、
前記検出部は、前記ユーザの非装着動作状態を検出し、
前記認証管理部は、前記ユーザ認証後に前記認証結果を保持し、前記検出部により前記非装着動作状態が検出された場合、保持している前記認証結果を削除する
ように構成された
請求項１に記載の情報処理装置。
【請求項３】
前記認証管理部は、保持している前記認証結果を出力する
ように構成された
請求項２に記載の情報処理装置。
【請求項４】
前記検出部は、前記情報処理装置の加速度に基づいて前記装着動作状態を検出する
ように構成された
請求項１に記載の情報処理装置。
【請求項５】
前記検出部は、前記情報処理装置に物体が近接した場合、前記装着動作状態を検出する
ように構成された
請求項１に記載の情報処理装置。
【請求項６】
前記検出部は、前記情報処理装置の形状の変化を検出した場合、前記装着動作状態を検出する
ように構成された
請求項１に記載の情報処理装置。
【請求項７】
前記測定部は、前記ユーザの心臓を介した２つの部位のそれぞれが装着動作時に接触する位置に配置された２つの電極により構成される
請求項１に記載の情報処理装置。
【請求項８】
情報処理装置が、
ユーザが装着動作時に接触する位置に配置され、前記ユーザの心電図を測定する測定ステップと、
前記ユーザの装着動作状態を検出する検出ステップと、
前記検出ステップの処理により前記装着動作状態が検出された場合、前記測定ステップの処理により測定された前記心電図に基づいて、ユーザ認証を行う認証ステップと
を含む情報処理方法。
【請求項９】
ユーザが装着動作時に接触する位置に配置され、前記ユーザの心電図を測定する測定部を備える情報処理装置を制御するコンピュータを、
前記ユーザの装着動作状態を検出する検出部と、
前記検出部により前記装着動作状態が検出された場合、前記測定部により測定された前記心電図に基づいて、ユーザ認証を行う認証部と
して機能させるためのプログラム。
【発明の詳細な説明】
【技術分野】
【０００１】
本開示は、情報処理装置、情報処理方法、およびプログラムに関し、特に、装着時のユーザの自然な動作により心電図を用いたユーザ認証を行うことができるようにした情報処理装置、情報処理方法、およびプログラムに関する。
【背景技術】
【０００２】
ECG（Electrocardiogram）(心電図）を計測する機器では、２つの電極の間に心臓を含むループ回路を形成する必要がある。例えば、リストバンド型機器で心電図を計測する場合、リストバンド型機器を一方の手に装着することにより、一方の手に一方の電極を接触させ、他方の手でリストバンド型機器の他方の電極に接触することにより、ループ回路を形成する必要がある。従って、ユーザは、心電図を計測する際、ループ回路を形成するために不自然な動作を強いられることが多い。
【０００３】
そこで、ぬいぐるみの各耳に心電図計測用の電極を配置し、子供がぬいぐるみの各耳を各手で接触するだけで自然に心電図を計測することができるバイタルセンサが考案されている（例えば、特許文献１参照）。
【０００４】
一方、近年、ユーザ認証において心電図を用いることが考えられている。
【先行技術文献】
【特許文献】
【０００５】
【特許文献１】特開2002-45343号公報
【発明の概要】
【発明が解決しようとする課題】
【０００６】
しかしながら、ユーザ認証を行う機器と心電図を計測する機器とでは用途が異なるため、ユーザ認証を行う機器に、単に、心電図を計測する機器を適用しても、使い勝手が悪い。
【０００７】
例えば、ユーザ認証を行うウェアラブル機器では、機器装着時のユーザの自然な動作により心電図を用いたユーザ認証を行うことが望まれるが、心電図を計測する機器では、機器装着時のユーザの自然な動作により心電図の計測を可能にすることは考えられていない。
【０００８】
本開示は、このような状況に鑑みてなされたものであり、装着時のユーザの自然な動作により心電図を用いたユーザ認証を行うことができるようにするものである。
【課題を解決するための手段】
【０００９】
本開示の一側面の情報処理装置は、ユーザが装着動作時に接触する位置に配置され、前記ユーザの心電図を測定する測定部と、前記ユーザの装着動作状態を検出する検出部と、前記検出部により前記装着動作状態が検出された場合、前記測定部により測定された前記心電図に基づいて、ユーザ認証を行う認証部とを備える情報処理装置である。
【００１０】
本開示の一側面の情報処理方法およびプログラムは、本開示の一側面の情報処理装置に対応する。
【００１１】
本開示の一側面においては、ユーザが装着動作時に接触する位置に配置された測定部により、前記ユーザの心電図が測定され、前記ユーザの装着動作状態が検出され、前記装着動作状態が検出された場合、測定された前記心電図に基づいて、ユーザ認証が行われる。
【発明の効果】
【００１２】
本開示の一側面によれば、ユーザ認証を行うことができる。また、本開示の一側面によれば、装着時のユーザの自然な動作により心電図を用いたユーザ認証を行うことができる。
【００１３】
なお、ここに記載された効果は必ずしも限定されるものではなく、本開示中に記載されたいずれかの効果であってもよい。
【図面の簡単な説明】
【００１４】
【図１】本開示を適用した情報処置装置としてのウェアラブル機器の第１実施の形態の外観構成例を示す図である。
【図２】認証処理部の構成例を示すブロック図である。
【図３】図１の曲げセンサの動作を説明する図である。
【図４】心電図の例を示す図である。
【図５】図１のウェアラブル機器の動作状態の遷移を示す図である。
【図６】図１のウェアラブル機器の認証処理を説明するフローチャートである。
【図７】図６の装着動作検出処理の詳細を説明するフローチャートである。
【図８】本開示を適用した情報処置装置としてのウェアラブル機器の第２実施の形態の外観構成例を示す図である。
【図９】本開示を適用した情報処置装置としてのウェアラブル機器の第３実施の形態の外観構成例を示す図である。
【図１０】本開示を適用した情報処置装置としてのウェアラブル機器の第４実施の形態の外観構成例を示す図である。
【図１１】本開示を適用した情報処置装置としてのウェアラブル機器の第５実施の形態の外観構成例を示す図である。
【図１２】コンピュータのハードウエアの構成例を示すブロック図である。
【発明を実施するための形態】
【００１５】
以下、本開示を実施するための形態（以下、実施の形態という）について説明する。なお、説明は以下の順序で行う。
１．第１実施の形態：ウェアラブル機器（図１乃至図７）
２．第２実施の形態：ウェアラブル機器（図８）
３．第３実施の形態：ウェアラブル機器（図９）
４．第４実施の形態：ウェアラブル機器（図１０）
５．第５実施の形態：ウェアラブル機器（図１１）
６．第６実施の形態：コンピュータ（図１２）
【００１６】
＜第１実施の形態＞
（ウェアラブル機器の第１実施の形態の外観構成例）
図１は、本開示を適用した情報処置装置としてのウェアラブル機器の第１実施の形態の外観構成例を示す図である。
【００１７】
図１のウェアラブル機器１０は、イヤーカップ（耳当て）１１−１および１１−２とヘッドバンド１２等を有するヘッドフォン型のウェアラブル機器である。図１Ａに示すように、ユーザは、ウェアラブル機器１０の両耳のイヤーカップ１１−１およびイヤーカップ１１−２を両手で把持し、外側に引っ張ることにより、ウェアラブル機器１０を頭部に装着する。その後、ユーザは、必要に応じて、イヤーカップ１１−１および１１−２を両手で把持し、装着具合を調整する。
【００１８】
図１Ｂに示すように、イヤーカップ１１−１およびイヤーカップ１１−２の外側の、ユーザの心臓を介した２つの部位としての両手の指が装着動作時（装着時や装着具合調整時）に接触する位置には、それぞれ、ECG電極１３−１，ECG電極１３−２が配置される。これにより、装着動作時にECG電極１３−１およびECG電極１３−２に自然にユーザの両手の指が接触して、心臓を含むループ回路が形成され、ユーザの心電図が計測される。
【００１９】
また、ユーザがウェアラブル機器１０を装着した際、ユーザの頭部を挟み込むヘッドバンド１２の略中央には、湾曲度合を検出する曲げセンサ１４が形成される。ユーザがウェアラブル機器１０を装着した際、ユーザの頭部が近接（接触を含む）するウェアラブル機器１０の位置（図１の例ではヘッドバンド１２の内面の略中央）に、物体が近接したかどうかを検出する近接センサ１５が形成される。
【００２０】
（認証処理部の構成例）
図２は、図１のウェアラブル機器１０のユーザ認証に関する処理を行う認証処理部の構成例を示すブロック図である。
【００２１】
図２に示すように、認証処理部３０は、曲げセンサ１４、近接センサ１５、加速度センサ３１、検出部３３、測定部３４、ユーザ認証部３５、および認証管理部３６により構成される。
【００２２】
認証処理部３０の加速度センサ３１は、ウェアラブル機器１０の加速度を検出し、検出部３３に供給する。近接センサ１５は、物体が近接したかどうか検出し、検出結果を検出部３３に供給する。曲げセンサ１４は、湾曲度合を検出し、検出部３３に供給する。
【００２３】
検出部３３は、加速度センサ３１から供給される加速度、近接センサ１５から供給される検出結果、および曲げセンサ１４から供給される湾曲度合に基づいて、ユーザの装着動作状態と非装着動作状態を検出する。装着動作状態とは、ユーザがウェアラブル機器１０の装着動作を行っている状態（ウェアラブル機器１０を装着しようとしている最中の状態）である。また、非装着動作状態とは、ユーザがウェアラブル機器１０の脱着動作（非装着動作）を行っている状態（ウェアラブル機器１０を脱着しようとしている最中の状態）である。検出部３３は、検出結果を認証管理部３６に供給する。また、検出部３３は、装着動作状態を検出した場合、ユーザ認証部３５に認証を指令する。
【００２４】
測定部３４は、ECG電極１３−１およびECG電極１３−２により構成される。測定部３４は、ユーザの心臓を介した２つの部位がECG電極１３−１およびECG電極１３−２に接触したとき、ユーザの心電図を測定し、測定された心電図をユーザ認証部３５に供給する。
【００２５】
ユーザ認証部３５は、検出部３３から指令が供給された場合、測定部３４から供給される所定の時間（例えば、１０秒）の心電図から得られる特徴量に基づいて、ユーザ認証を行う。このように、ユーザの装着動作状態が検出された場合にのみ、ユーザ認証を行うことにより、ウェアラブル機器１０を装着するユーザの認証を高精度で行うことができる。ユーザ認証部３５は、認証結果として認証済みというステータスや認証されたユーザを特定する情報などを認証管理部３６に供給する。
【００２６】
認証管理部３６は、検出部３３から供給される検出結果に基づいて、ユーザ認証部３５から供給される認証結果を管理する。具体的には、認証管理部３６は、ユーザ認証部３５から供給される認証結果を保持する。また、認証管理部３６は、検出結果に基づいて、保持している認証結果を削除する。さらに、認証管理部３６は、外部からの要求に応じて、保持している認証結果を出力する。
【００２７】
なお、第１実施の形態では、ウェアラブル機器１０は、加速度センサ３１、近接センサ１５、および曲げセンサ１４の全てを有するようにしたが、少なくとも１つを有し、少なくとも１つの検出結果に基づいて装着動作状態と非装着動作状態が検出されればよい。但し、加速度センサ３１、近接センサ１５、および曲げセンサ１４の全ての検出結果に基づいて装着動作状態と非装着動作状態が検出される場合、いずれか１つまたは２つの検出結果に基づいて検出される場合に比べて、検出精度は高い。
【００２８】
（曲げセンサの動作の説明）
図３は、曲げセンサ１４の動作を説明する図である。
【００２９】
図３Ａに示すように、ユーザがウェアラブル機器１０を装着する場合、ウェアラブル機器１０の両耳のイヤーカップ１１−１および１１−２を両手で把持し、外側に引っ張る。また、ユーザがウェアラブル機器１０の装着具合を調整する場合、ウェアラブル機器１０を頭部に装着した（挟んだ）状態で、ウェアラブル機器１０の両耳のイヤーカップ１１−１およびイヤーカップ１１−２を両手で把持する。従って、装着動作状態では、イヤーカップ１１−１とイヤーカップ１１−２の間のヘッドバンド１２の略中央に形成される曲げセンサ１４は伸ばされる。即ち、装着動作状態では曲げセンサ１４の湾曲度合は小さい。
【００３０】
一方、図３Ｂに示すように、ユーザがウェアラブル機器１０を脱着する場合、ウェアラブル機器１０の両耳のイヤーカップ１１−１および１１−２の間からユーザの頭部が抜かれ、イヤーカップ１１−１および１１−２どうしは近づく。従って、非装着動作状態では、イヤーカップ１１−１とイヤーカップ１１−２の間のヘッドバンド１２の略中央に形成される曲げセンサ１４は縮んでいる。即ち、非装着動作状態では、曲げセンサ１４の湾曲度合は大きい。
【００３１】
以上のように、装着動作状態と非装着動作状態では、曲げセンサ１４の伸縮が違うため、曲げセンサ１４により検出される湾曲度合に基づいて、装着動作状態と非装着動作状態を判定することができる。
【００３２】
（心電図の例）
図４は、心電図の例を示す図である。
【００３３】
図４において、横軸は時刻を表し、縦軸は電圧を表している。
【００３４】
心電図の波形の特徴量であるＰ波、Ｑ波、Ｒ波、Ｓ波、Ｔ波などは、個人ごとに異なる。従って、ユーザ認証部３５は、心電図からＰ波、Ｑ波、Ｒ波、Ｓ波、Ｔ波などを特徴量として抽出し、その特徴量に基づいてユーザ認証を行う。
【００３５】
なお、ユーザ認証部３５は、60（秒）をＰ波間またはＲ波間の間隔（秒）で除算することにより、心拍数を計算し、その心拍数を特徴量とするようにしてもよい。
【００３６】
（動作状態の遷移の説明）
図５は、ウェアラブル機器１０の動作状態の遷移を示す図である。
【００３７】
図５に示すように、ウェアラブル機器１０の動作開始時、ウェアラブル機器１０の動作状態は非装着動作状態５１である。非装着動作状態５１において、検出部３３により装着動作状態が検出された場合、認証管理部３６は、ウェアラブル機器１０の動作状態を、非装着動作状態５１から装着動作状態５２のうちのユーザ認証が行われていない状態である非認証状態６１に遷移させる。非認証状態６１においてユーザ認証部３５によるユーザ認証が行われると、認証管理部３６は、ウェアラブル機器１０の動作状態を、装着動作状態５２のうちの非認証状態６１から、ユーザ認証が行われた状態である認証状態６２に遷移させる。
【００３８】
認証状態６２では、認証管理部３６は、ユーザ認証部３５から供給される認証結果を保持し、外部からの要求に応じて、保持している認証結果を出力する。認証状態６２において、検出部３３により非装着動作状態が検出された場合、認証管理部３６は、ウェアラブル機器１０の動作状態を、認証状態６２から非認証状態６１へ遷移させ、非認証状態６１から非装着動作状態５１へ遷移させる。
【００３９】
認証状態６２から非認証状態６１へ遷移するとき、認証管理部３６は、認証状態６２において保持した認証結果を削除することにより、ユーザ認証を解除する。その結果、認証管理部３６から認証結果は出力されなくなる。
【００４０】
また、非認証状態６１において、検出部３３により非装着動作状態が検出された場合、認証管理部３６は、ウェアラブル機器１０の動作状態を、非認証状態６１から非装着動作状態５１へ遷移させる。認証管理部３６は、ウェアラブル機器１０の動作が終了するまで、以上のような遷移を繰り返させる。
【００４１】
（ウェアラブル機器の処理の説明）
図６は、図１のウェアラブル機器１０の認証処理を説明するフローチャートである。この認証処理は、例えば、ウェアラブル機器１０の電源がオンにされ、ウェアラブル機器１０の動作が開始されたときに開始される。認証処理の開始時のウェアラブル機器１０の動作状態は図５の非装着動作状態５１である。
【００４２】
図６のステップＳ１１において、検出部３３は、加速度センサ３１から供給される加速度、近接センサ１５から供給される検出結果、および曲げセンサ１４から供給される湾曲度合に基づいて、装着動作状態と非装着動作状態を検出する装着動作検出処理を行う。この装着動作検出処理の詳細は、後述する図７を参照して説明する。検出部３３は、検出結果を認証管理部３６に供給する。
【００４３】
ステップＳ１２において、検出部３３は、装着動作検出処理により装着動作状態が検出されたかどうかを判定する。ステップＳ１２で装着動作状態が検出されたと判定された場合、検出部３３は、ユーザ認証部３５に認証を指令し、認証管理部３６は、ウェアラブル機器１０の動作状態を非認証状態６１に遷移する。
【００４４】
そして、ステップＳ１３において、ユーザ認証部３５は、測定部３４から供給される所定の時間の心電図から得られる特徴量に基づいて、ユーザ認証を行う。ステップＳ１４において、ユーザ認証部３５は、ユーザ認証が成功したかどうかを判定する。ステップＳ１４でユーザ認証が成功したと判定された場合、ユーザ認証部３５は、認証結果を認証管理部３６に供給する。
【００４５】
そして、ステップＳ１５において、認証管理部３６は、ウェアラブル機器１０の動作状態を認証状態６２に遷移し、認証結果を保持する。
【００４６】
ステップＳ１６において、認証管理部３６は、外部から認証結果が要求されたかどうかを判定する。ステップＳ１６で認証結果が要求されたと判定された場合、ステップＳ１７において、認証管理部３６は、認証結果を外部に出力し、処理をステップＳ１８に進める。
【００４７】
一方、ステップＳ１６で認証結果が要求されていないと判定された場合、処理はステップＳ１７をスキップしてステップＳ１８に進む。
【００４８】
ステップＳ１８において、検出部３３は、ステップＳ１１と同様に、装着動作検出処理を行う。検出部３３は、検出結果を認証管理部３６に供給する。
【００４９】
ステップＳ１９において、検出部３３は、ステップＳ１８の装着動作検出処理により非装着動作状態が検出されたかどうかを判定する。ステップＳ１９で非装着動作状態が検出されたと判定された場合、認証管理部３６は、ウェアラブル機器１０の動作状態を非認証状態６１に遷移させ、処理をステップＳ２０に進める。
【００５０】
ステップＳ２０において、検出部３３は、保持している認証結果を削除することにより、ユーザ認証を解除し、ウェアラブル機器１０の動作状態を非装着動作状態５１に遷移させる。
【００５１】
ステップＳ２１において、ウェアラブル機器１０は、処理を終了するかどうか、例えば、ウェアラブル機器１０の電源がオフにされ、ウェアラブル機器１０の動作が終了するかどうかを判定する。ステップＳ２１で処理を終了すると判定された場合、処理は終了する。
【００５２】
一方、ステップＳ２１で処理を終了しないと判定された場合、または、ステップＳ１２で装着動作状態が検出されていないと判定された場合、処理はステップＳ１１に戻り、以降の処理が繰り返される。
【００５３】
また、ステップＳ１４でユーザ認証が成功していないと判定された場合、ユーザ認証部３５は、ウェアラブル機器１０の動作状態を非装着動作状態５１に遷移させ、処理をステップＳ１１に戻す。そして、以降の処理が繰り返される。
【００５４】
さらに、ステップＳ１９で非装着動作状態が検出されていないと判定された場合、処理はステップＳ１６に戻り、非装着動作状態が検出されるまで、ステップＳ１６乃至Ｓ１９の処理が繰り返される。
【００５５】
図７は、図６のステップＳ１１およびＳ１８の装着動作検出処理の詳細を説明するフローチャートである。
【００５６】
図７のステップＳ４１において、検出部３３は、加速度センサ３１から供給される加速度の絶対値が所定の閾値以上であるかどうかを判定する。ステップＳ４１で加速度の絶対値が所定の閾値以上であると判定された場合、即ちウェアラブル機器１０に対して外部から何等かの力が加わった場合、検出部３３は、ユーザが装着動作または非装着動作（脱着動作）を行っていると判断する。
【００５７】
そして、ステップＳ４２において、検出部３３は、直前に検出された状態が装着動作状態であるかどうかを判定する。ステップＳ４２で直前に検出された状態が装着動作状態であると判定された場合、処理はステップＳ４３に進む。
【００５８】
ステップＳ４３において、検出部３３は、近接センサ１５からの検出結果と曲げセンサ１４からの湾曲度合に基づいて、ウェアラブル機器１０に物体が近接していないか、または、ウェアラブル機器１０の湾曲度合が小さいかどうかを判定する。具体的には、近接センサ１５からの検出結果が、物体が近接していないことを示す場合、または、曲げセンサ１４からの湾曲度合が閾値以下である場合、検出部３３は、ウェアラブル機器１０に物体が近接していないか、または、ウェアラブル機器１０の湾曲度合が小さいと判定する。一方、近接センサ１５からの検出結果が、物体が近接していることを示す場合、かつ、曲げセンサ１４からの湾曲度合が閾値より大きい場合、検出部３３は、ウェアラブル機器１０に物体が近接しており、かつ、ウェアラブル機器１０の湾曲度合が大きいと判定する。
【００５９】
ステップＳ４３で、ウェアラブル機器１０に物体が近接していないか、または、ウェアラブル機器１０の湾曲度合が小さいと判定された場合、即ち、ウェアラブル機器１０に物体が近接しなくなったか、または、ウェアラブル機器１０の湾曲度合が小さくなった場合、検出部３３は、非装着動作状態となった可能性が高いと判断する。
【００６０】
そして、ステップＳ４４において、検出部３３は、ユーザの非装着動作状態を検出する。そして、装着動作検出処理を終了する。
【００６１】
一方、ステップＳ４３で、ウェアラブル機器１０に物体が近接しており、かつ、ウェアラブル機器１０の湾曲度合が大きいと判定された場合、検出部３３は、ユーザがウェアラブル機器１０を装着した装着状態であると判断し、装着動作検出処理を終了する。
【００６２】
また、ステップＳ４２で直前に検出された状態が装着動作状態ではないと判定された場合、即ち直前に検出された状態が非装着動作状態である場合、処理はステップＳ４５に進む。
【００６３】
ステップＳ４５において、検出部３３は、近接センサ１５からの検出結果と曲げセンサ１４からの湾曲度合に基づいて、ウェアラブル機器１０に物体が近接しているか、または、ウェアラブル機器１０の湾曲度合が大きいかどうかを判定する。具体的には、近接センサ１５からの検出結果が、物体が近接していることを示す場合、または、曲げセンサ１４からの湾曲度合が閾値より大きい場合、検出部３３は、ウェアラブル機器１０に物体が近接しているか、または、ウェアラブル機器１０の湾曲度合が大きいと判定する。一方、近接センサ１５からの検出結果が、物体が近接してないことを示す場合、かつ、曲げセンサ１４からの湾曲度合が閾値以下である場合、検出部３３は、ウェアラブル機器１０に物体が近接しておらず、かつ、ウェアラブル機器１０の湾曲度合が小さいと判定する。
【００６４】
ステップＳ４５で、ウェアラブル機器１０に物体が近接しているか、または、ウェアラブル機器１０の湾曲度合が大きいと判定された場合、即ち、ウェアラブル機器１０に物体が近接したか、または、ウェアラブル機器１０の湾曲度合が大きくなった場合、検出部３３は、装着動作状態となった可能性が高いと判定する。そして、ステップＳ４６において、検出部３３は、ユーザの装着動作状態を検出する。そして、装着動作検出処理を終了する。
【００６５】
一方、ステップＳ４５で、ウェアラブル機器１０に物体が近接しておらず、かつ、ウェアラブル機器１０の湾曲度合が小さいと判定された場合、検出部３３は、ユーザがウェアラブル機器１０を装着していない非装着状態であると判断し、装着動作検出処理を終了する。
【００６６】
また、ステップＳ４１で加速度の絶対値が閾値以上ではないと判定された場合、即ち外部からウェアラブル機器１０に何等の力も加えられていない場合、検出部３３は、ユーザが装着動作および非装着動作を行っていないと判断し、装着動作検出処理を終了する。
【００６７】
図７の例では、検出部３３は、加速度の絶対値が閾値以上である場合にのみ非装着動作状態と装着動作状態の検出処理を行うので、ウェアラブル機器１０に加速度センサ３１が設けられない場合に比べて、消費電力を削減することができる。
【００６８】
以上のように、ウェアラブル機器１０は、装着動作状態を検出した場合、ユーザが装着動作時に接触する位置に配置された測定部３４により測定された心電図に基づいてユーザ認証を行う。従って、ウェアラブル機器１０は、装着時のユーザの自然な動作で、心電図を用いたユーザ認証を行うことができる。
【００６９】
また、ウェアラブル機器１０は、ユーザ認証後に非装着動作状態を検出するまで、認証結果を保持する。従って、ユーザは、ウェアラブル機器１０を装着している間、認証のための操作を行う必要がない。よって、ウェアラブル機器１０の利便性を向上させることができる。また、外部から認証結果が要求された場合、ユーザ認証を行うことなく、即座に認証結果を出力することができる。従って、認証処理部３０の利便性を向上させることができる。
【００７０】
＜第２実施の形態＞
（ウェアラブル機器の第２実施の形態の外観構成例）
図８は、本開示を適用した情報処置装置としてのウェアラブル機器の第２実施の形態の外観構成例を示す図である。
【００７１】
図８Ａに示すように、ウェアラブル機器８０は、リストバンド型のウェアラブル機器である。図８Ｂに示すように、ウェアラブル機器８０の形状が腕輪状である場合、ユーザは、ウェアラブル機器８０の文字盤８１の上方向の端部の内面を腕に接触させ、下方向の端部を把持して外側に引っ張ることにより、ウェアラブル機器８０を腕に装着する。
【００７２】
図８Ｂに示すように、ウェアラブル機器８０の文字盤８１の上方向の端部の内面、即ちユーザの片腕が装着動作時に接触する位置には、ECG電極８２−１が設置される。また、ウェアラブル機器８０の文字盤８１の下方向の端部の外部、即ちユーザのウェアラブル機器８０が装着される片腕と心臓を介して反対の方向にある他の腕の指が装着動作時に接触する位置には、ECG電極８２−２が設置される。これにより、装着動作時にECG電極８２−１に自然にユーザの片腕が接触し、ECG電極８２−２に自然にユーザの他の腕の指が接触して、心臓を含むループ回路が形成され、ユーザの心電図が計測される。
【００７３】
また、ユーザがウェアラブル機器８０を装着した際、ユーザの腕を挟み込むウェアラブル機器８０の文字盤８１の上下方向の略中央には、湾曲度合を検出する曲げセンサ８３が形成される。ユーザがウェアラブル機器８０を装着した際、ユーザの腕が近接（接触を含む）するウェアラブル機器８０の位置（図８の例では文字盤８１の裏側のウェアラブル機器８０の内面）に、物体が近接したかどうかを検出する近接センサ８４が形成される。
【００７４】
なお、ECG電極８２−２は、ユーザがウェアラブル機器８０の動作開始時に操作する必要のあるボタン（例えば電源ボタン、ホームボタン、表示ボタン等）と一体化されていてもよい。
【００７５】
また、図８Ｃに示すように、ウェアラブル機器８０の形状がベルト状である場合、ユーザは、ウェアラブル機器８０の留め具９３と文字盤９１の上端の間のベルト９２−１の内面を腕に接触させ、留め具９３と文字盤９１の下端の間のベルト９２−２の留め具９３との境界周辺を把持して留め具９３を折り畳むことにより、ウェアラブル機器８０を腕に装着する。
【００７６】
図８Ｃに示すように、ウェアラブル機器８０のベルト９２−１の内面、即ちユーザの片腕が装着動作時に接触する位置には、ECG電極９４−１が設置される。また、留め具９３との境界周辺のベルト９２−２の内面、即ちEユーザのウェアラブル機器８０が装着される片腕と心臓を介して反対の方向にある他の腕の指が装着動作時に接触する位置には、ECG電極９４−２が設置される。これにより、装着動作時にECG電極９４−１に自然にユーザの片腕が接触し、ECG電極９４−２に自然にユーザの他の腕の指が接触して、心臓を含むループ回路が形成され、ユーザの心電図が計測される。
【００７７】
また、ユーザがウェアラブル機器８０を装着した際、留め具９３が折り畳まれることにより留め具９３どうしが接触する位置（図８の例では留め具９３とベルト９２−１の境界周辺）に、物体が近接したかどうかを検出する近接センサ９５が形成される。
【００７８】
なお、図８Ｂのウェアラブル機器８０の認証処理は、ECG電極１３−１およびECG電極１３−２がECG電極８２−１および部２−２に代わり、曲げセンサ１４が曲げセンサ８３に代わり、近接センサ１５が近接センサ８４に代わる点を除いて、第１実施の形態の認証処理と同様である。
【００７９】
また、図８Ｃのウェアラブル機器８０の認証処理は、ECG電極１３−１およびECG電極１３−２がECG電極９４−１およびECG電極９４−２に代わり、曲げセンサ１４が設けられず、近接センサ１５が近接センサ９５に代わる点を除いて、第１実施の形態の認証処理と同様である。
【００８０】
＜第３実施の形態＞
（ウェアラブル機器の第３実施の形態の外観構成例）
図９は、本開示を適用した情報処置装置としてのウェアラブル機器の第３実施の形態の外観構成例を示す図である。
【００８１】
図９のウェアラブル機器１１０は、ネックバンド型のウェアラブル機器である。図９Ａに示すように、ユーザは、ウェアラブル機器１１０の両端を両手で把持し、外側に引っ張ることにより、ウェアラブル機器１１０を首に装着する。その後、ユーザは、必要に応じて、ウェアラブル機器１１０の両端の肩に接触する面と対向する面を両手で把持し、装着具合を調整する。
【００８２】
図９Ｂに示すように、ウェアラブル機器１１０の両端の装着時に肩に接触する面と対向する面、即ちユーザの両手の指が装着動作時に接触する位置には、それぞれ、ECG電極１１１−１，ECG電極１１１−２が配置される。これにより、装着動作時にECG電極１１１−１およびECG電極１１１−２に自然にユーザの両手の指が接触して、心臓を含むループ回路が形成され、ユーザの心電図が計測される。
【００８３】
また、ユーザがウェアラブル機器１１０を装着した際、ユーザの首を挟み込むウェアラブル機器１１０の両端方向の略中央には、湾曲度合を検出する曲げセンサ１１２が形成される。ユーザがウェアラブル機器１１０を装着した際、ユーザの首が近接（接触を含む）するウェアラブル機器１１０の位置（図９の例ではウェアラブル機器１１０の内面の両端方向の略中央）に、物体が近接したかどうかを検出する近接センサ１１３が形成される。
【００８４】
なお、ウェアラブル機器１１０の認証処理は、ECG電極１３−１およびECG電極１３−２がECG電極１１１−１およびECG電極１１１−２に代わり、曲げセンサ１４が曲げセンサ１１２に代わり、近接センサ１５が近接センサ１１３に代わる点を除いて、第１実施の形態の認証処理と同様である。
【００８５】
＜第４実施の形態＞
（ウェアラブル機器の第４実施の形態の外観構成例）
図１０は、本開示を適用した情報処置装置としてのウェアラブル機器の第４実施の形態の外観構成例を示す図である。
【００８６】
図１０のウェアラブル機器１３０は、ヘアバンド型のウェアラブル機器である。図１０Ａに示すように、ユーザは、ウェアラブル機器１３０の両端を両手で把持し、外側に引っ張ることにより、ウェアラブル機器１３０を頭部に装着する。その後、ユーザは、必要に応じて、ウェアラブル機器１３０の両端の頭に接触しない面を両手で把持し、装着具合を調整する。
【００８７】
図１０Ｂに示すように、ウェアラブル機器１３０の両端の装着時に頭に接触しない面、即ちユーザの両手の指が装着動作時に接触する位置には、それぞれ、ECG電極１３１−１，ECG電極１３１−２が配置される。これにより、装着動作時にECG電極１３１−１およびECG電極１３１−２に自然にユーザの両手の指が接触して、心臓を含むループ回路が形成され、ユーザの心電図が計測される。
【００８８】
また、ユーザがウェアラブル機器１３０を装着した際、ユーザの頭部を挟み込むウェアラブル機器１３０の両端方向の略中央には、湾曲度合を検出する曲げセンサ１３２が形成される。ユーザがウェアラブル機器１３０を装着した際、ユーザの頭部が近接（接触を含む）するウェアラブル機器１３０の位置（図１０の例ではウェアラブル機器１３０の内面の両端方向の略中央）に、物体が近接したかどうかを検出する近接センサ１３３が形成される。
【００８９】
なお、ウェアラブル機器１３０の認証処理は、ECG電極１３−１およびECG電極１３−２がECG電極１３１−１およびECG電極１３１−２に代わり、曲げセンサ１４が曲げセンサ１３２に代わり、近接センサ１５が近接センサ１３３に代わる点を除いて、第１実施の形態の認証処理と同様である。
【００９０】
＜第５実施の形態＞
（ウェアラブル機器の第５実施の形態の外観構成例）
図１１は、本開示を適用した情報処置装置としてのウェアラブル機器の第５実施の形態の外観構成例を示す図である。
【００９１】
図１１のウェアラブル機器１５０は、眼鏡型のウェアラブル機器である。図１１Ａに示すように、ユーザは、ウェアラブル機器１５０の左右のテンプル（つる）を両手で把持して、外側に引っ張り、ウェアラブル機器１５０のテンプルを耳に引っ掛けることにより、ウェアラブル機器１５０を装着する。その後、ユーザは、必要に応じて、ウェアラブル機器１５０の左右のテンプルの両方を両手で把持し、装着具合を調整する。
【００９２】
図１１Ｂに示すように、ウェアラブル機器１５０の左右のテンプル、即ちユーザの両手の指が装着動作時に接触する位置には、それぞれ、ECG電極１５１−１，ECG電極１５１−２が配置される。これにより、装着動作時にECG電極１５１−１およびECG電極１５１−２に自然にユーザの両手の指が接触して、心臓を含むループ回路が形成され、ユーザの心電図が計測される。
【００９３】
また、ユーザがウェアラブル機器１５０を装着した際に伸ばされるウェアラブル機器１５０の両方のヒンジには、湾曲を検出する曲げセンサ１５２−１および曲げセンサ１５２−２が形成される。ユーザがウェアラブル機器１５０を装着した際、ユーザの耳が近接（接触を含む）する左右のテンプルの端部に、物体が近接したかどうかを検出する近接センサ１５３−１および近接センサ１５３−２が形成される。
【００９４】
なお、ウェアラブル機器１５０の認証処理は、ECG電極１３−１およびECG電極１３−２がECG電極１５１−１およびECG電極１５１−２に代わり、曲げセンサ１４が曲げセンサ１５２−１および曲げセンサ１５２−２に代わり、近接センサ１５が近接センサ１５３−１および近接センサ１５３−２に代わる点を除いて、第１実施の形態の認証処理と同様である。
【００９５】
＜第６実施の形態＞
（本開示を適用したコンピュータの説明）
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【００９６】
図１２は、上述した一連の処理をプログラムにより実行するコンピュータのハードウエアの構成例を示すブロック図である。
【００９７】
コンピュータ２００において、CPU（Central Processing Unit）２０１，ROM（Read Only Memory）２０２，RAM（Random Access Memory）２０３は、バス２０４により相互に接続されている。
【００９８】
バス２０４には、さらに、入出力インタフェース２０５が接続されている。入出力インタフェース２０５には、検出部２０６、測定部２０７、入力部２０８、出力部２０９、記憶部２１０、通信部２１１、及びドライブ２１２が接続されている。
【００９９】
検出部２０６は、加速度センサ、近接センサ、曲げセンサなどのセンサにより構成される。測定部２０７は、２つのECG電極により構成される。入力部２０８は、キーボード、マウス、マイクロフォンなどよりなる。出力部２０９は、ディスプレイ、スピーカなどよりなる。記憶部２１０は、ハードディスクや不揮発性のメモリなどよりなる。通信部２１１は、ネットワークインタフェースなどよりなる。ドライブ２１２は、磁気ディスク、光ディスク、光磁気ディスク、又は半導体メモリなどのリムーバブルメディア２１３を駆動する。
【０１００】
以上のように構成されるコンピュータ２００では、CPU２０１が、例えば、記憶部２１０に記憶されているプログラムを、入出力インタフェース２０５及びバス２０４を介して、RAM２０３にロードして実行することにより、上述した一連の処理が行われる。
【０１０１】
コンピュータ２００（CPU２０１）が実行するプログラムは、例えば、パッケージメディア等としてのリムーバブルメディア２１３に記録して提供することができる。また、プログラムは、ローカルエリアネットワーク、インターネット、デジタル衛星放送といった、有線または無線の伝送媒体を介して提供することができる。
【０１０２】
コンピュータ２００では、プログラムは、リムーバブルメディア２１３をドライブ２１２に装着することにより、入出力インタフェース２０５を介して、記憶部２１０にインストールすることができる。また、プログラムは、有線または無線の伝送媒体を介して、通信部２１１で受信し、記憶部２１０にインストールすることができる。その他、プログラムは、ROM２０２や記憶部２１０に、あらかじめインストールしておくことができる。
【０１０３】
なお、コンピュータ２００が実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１０４】
また、本明細書に記載された効果はあくまで例示であって限定されるものではなく、他の効果があってもよい。
【０１０５】
さらに、本開示の実施の形態は、上述した実施の形態に限定されるものではなく、本開示の要旨を逸脱しない範囲において種々の変更が可能である。
【０１０６】
例えば、本開示は、１つの機能をネットワークを介して複数の装置で分担、共同して処理するクラウドコンピューティングの構成をとることができる。
【０１０７】
また、上述のフローチャートで説明した各ステップは、１つの装置で実行する他、複数の装置で分担して実行することができる。
【０１０８】
さらに、１つのステップに複数の処理が含まれる場合には、その１つのステップに含まれる複数の処理は、１つの装置で実行する他、複数の装置で分担して実行することができる。
【０１０９】
本開示は、装着動作時にユーザにより自然に心臓を介した２つの部位で把持されるウェアラブル機器であれば、上述した形態以外の形態にも適用することができる。
【０１１０】
なお、本開示は、以下のような構成もとることができる。
【０１１１】
（１）
ユーザが装着動作時に接触する位置に配置され、前記ユーザの心電図を測定する測定部と、
前記ユーザの装着動作状態を検出する検出部と、
前記検出部により前記装着動作状態が検出された場合、前記測定部により測定された前記心電図に基づいて、ユーザ認証を行う認証部と
を備える情報処理装置。
（２）
前記認証部による認証結果を管理する認証管理部
をさらに備え、
前記検出部は、前記ユーザの非装着動作状態を検出し、
前記認証管理部は、前記ユーザ認証後に前記認証結果を保持し、前記検出部により前記非装着動作状態が検出された場合、保持している前記認証結果を削除する
ように構成された
前記（１）に記載の情報処理装置。
（３）
前記認証管理部は、保持している前記認証結果を出力する
ように構成された
前記（２）に記載の情報処理装置。
（４）
前記検出部は、前記情報処理装置の加速度に基づいて前記装着動作状態を検出する
ように構成された
前記（１）乃至（３）のいずれかに記載の情報処理装置。
（５）
前記検出部は、前記情報処理装置に物体が近接した場合、前記装着動作状態を検出する
ように構成された
前記（１）乃至（４）のいずれかに記載の情報処理装置。
（６）
前記検出部は、前記情報処理装置の形状の変化を検出した場合、前記装着動作状態を検出する
ように構成された
前記（１）乃至（５）のいずれかに記載の情報処理装置。
（７）
前記測定部は、前記ユーザの心臓を介した２つの部位のそれぞれが装着動作時に接触する位置に配置された２つの電極により構成される
前記（１）乃至（６）のいずれかに記載の情報処理装置。
（８）
情報処理装置が、
ユーザが装着動作時に接触する位置に配置され、前記ユーザの心電図を測定する測定ステップと、
前記ユーザの装着動作状態を検出する検出ステップと、
前記検出ステップの処理により前記装着動作状態が検出された場合、前記測定ステップの処理により測定された前記心電図に基づいて、ユーザ認証を行う認証ステップと
を含む情報処理方法。
（９）
ユーザが装着動作時に接触する位置に配置され、前記ユーザの心電図を測定する測定部を備える情報処理装置を制御するコンピュータを、
前記ユーザの装着動作状態を検出する検出部と、
前記検出部により前記装着動作状態が検出された場合、前記測定部により測定された前記心電図に基づいて、ユーザ認証を行う認証部と
して機能させるためのプログラム。
【符号の説明】
【０１１２】
１０  ウェアラブル機器,  １３−１，１３−２  ECG電極,  ３３  検出部,  ３４  測定部,  ３５  ユーザ認証部，  ３６  認証管理部,  ８０  ウェアラブル機器,  ８２−１，８２−２  ECG電極,  ９４−１，９４−２  ECG電極,  １１０  ウェアラブル機器,  １１１−１，１１−２  ECG電極,  １３０  ウェアラブル機器,  １１０−１，１３１−２  ECG電極,  １５０  ウェアラブル機器,  １５１−１，１５１−２  ECG電極
【図１】
2017228132.tif 000003
【図２】
2017228132.tif 000004
【図３】
2017228132.tif 000005
【図４】
2017228132.tif 000006
【図５】
2017228132.tif 000007
【図６】
2017228132.tif 000008
【図７】
2017228132.tif 000009
【図８】
2017228132.tif 000010
【図９】
2017228132.tif 000011
【図１０】
2017228132.tif 000012
【図１１】
2017228132.tif 000013
【図１２】
2017228132.tif 000014